(57)【要約】【課題】光源への電力供給部材が原稿走査の光路を遮ることがないように電力供給部材に常時張力を付与するに際して、電力供給部材の耐久性を劣化させないものとする。【解決手段】照明ランプ１１及び第１ミラー１３を備え所定の速度で移動可能である第１キャリッジ１０と、第２ミラー２１及び第３ミラー２２を備え前記所定の速度の半分の速度で移動可能である第２キャリッジ２０と、可撓性を有し電源部と前記光源に接続され電源部から光源に電力を供給するフレキシブル回路基板１１０とを備え、前記照明ランプ１１からの光を原稿に反射させその反射光を前記各ミラーで反射させて読み取る画像読取装置１００において、前記第２キャリッジ２０に、前記反射光の光路外で前記フレキシブル回路基板１１０に接して張力を付与する張力付与部材４０とフレキシブル回路基板１１０の方向を変えるガイド部材３０とを設けた。【選択図】図４
2007179014.tif 000002
【特許請求の範囲】
【請求項１】
光源及び第１ミラーを備え所定の速度で移動可能である第１キャリッジと、第２ミラー及び第３ミラーを備え前記所定の速度の半分の速度で移動可能である第２キャリッジと、前記第１キャリッジ及び前記第２キャリッジを移動可能に保持する装置本体と、前記装置本体に固定された前記光源用の電源部と、可撓性を有し前記電源部と前記光源に接続され電源部から光源に電力を供給する電力供給部材とを備え、前記光源からの光を原稿に反射させその反射光を前記第１ミラー、第２ミラー及び第３ミラーで反射させて読み取る画像読取装置において、
前記第２キャリッジに、前記反射光の光路外で前記電力供給部材に接して張力を付与する張力付与部材を設けたことを特徴とする画像読取装置。
【請求項２】
前記第２キャリッジに、前記電力供給部材を湾曲して支持する支持部材を備えたことを特徴とする請求項１の画像読取装置。
【請求項３】
前記支持部材は、前記電力供給部材を湾曲させて支持するものであるとともに、前記張力付与部材は前記支持部材に設けられていることを特徴とする、請求項２の画像読取装置。
【請求項４】
前記張力付与部材は、弾性を備えた薄板材で形成されたものであり、薄板材の変形による弾性力で前記電力供給部材に張力を与えることを特徴とする請求項１ないし３のいずれかの画像読取装置。
【請求項５】
前記薄板材は、ＰＥＴ材を含む合成樹脂、又はステンレス鋼、リン青銅を含む板バネ用金属で形成されていることを特徴とする請求項４の画像読取装置。
【請求項６】
前記薄板材の端縁をなすエッジ部は、端部が電力供給部材から離間する形状とされ、前記導電部材と接触しないよう構成したことを特徴とする請求項４又は５の画像読取装置。
【請求項７】
前記張力付与部材は樹脂材で製造され、前記第２キャリッジに取付けるための固定部と、前記張力付与部材をなす弾性力を備えた薄板形状部とを備え、固定部と薄板形状部とが一体的に形成されたことを特徴とする請求項１ないし３のいずれかの画像読取装置。
【請求項８】
前記支持部材は、滑車を備えており、滑車は電力供給部材のパターン領域外に設けられていることを特徴とする請求項１ないし３のいずれか記載の画像読取装置。
【請求項９】
前記滑車の周囲に低摩擦係数である摺動部材を配置したことを特徴とする請求項８記載の画像読取装置。
【請求項１０】
前記摺動部材は、スポンジ、フェルトを含む弾性体、又は、前記弾性体に潤滑油を付着したものであることを特徴とする請求項９記載の画像読取装置。
【請求項１１】
前記電力供給部材の付勢方向は、キャリッジ進行方向、及び鉛直上向きを正方向とした座標系において、キャリッジ進行方向に対して負であり、鉛直方向に対しては正であることを特徴とする請求項１ないし７のいずれか記載の画像読取装置。
【請求項１２】
前記張力付与部材は、可撓性導電部材の湾曲部を案内する支持部材の端縁角部を被い、可撓性導電部材は常時張力付与部材と接していることを特徴とする請求項３記載の画像読取装置。
【請求項１３】
前記電力供給部材は、フレキシブル回路基板であることを特徴とする請求項１ないし１２のいずれか記載の画像読取装置。
【請求項１４】
前記電力供給部材の支持部における湾曲半径をＲとし、前記薄板の張力付与部材の板厚をｔとしたとき、Ｒ／ｔ≧１５０であることを特徴とする請求項３又は１３記載の画像読取装置。
【請求項１５】
前記支持部材は、前記第２キャリッジにおいて前記第２ミラー及び第３ミラー設置側の反対側に設けられていることを特徴とする請求項１ないし１４いずれか記載の画像読取装置。
【請求項１６】
前記装置本体には、キャリッジ駆動用モータと原稿検知センサとが配置され、前記電力供給部材は前記キャリッジ駆動用モータと前記原稿検知センサとの間に配置されていることを特徴とする請求項１ないし１５いずれか記載の画像読取装置。
【請求項１７】
請求項１ないし１６いずれか記載の画像読取装置を備えたことを特徴とする画像形成装置。
【発明の詳細な説明】
【技術分野】
【０００１】
本発明は画像読取装置及び画像形成装置に係り、特に光源及び第１ミラーを備え所定の速度で移動可能である第１キャリッジと、第２ミラー及び第３ミラーを備え前記所定の速度の半分の速度で移動可能である第２キャリッジと、前記第１キャリッジ及び第２キャリッジを移動可能に保持する装置本体と、前記装置本体に固定された前記光源用の電源部と、可撓性を有し前記電源部と前記光源に接続され電源部から光源に電力を供給する電力供給部材とを備え、前記光源からの光を原稿に反射させその反射光を前記第１ミラー、第２ミラー及び第３ミラーで反射させて読み取るに画像読取装置、画像形成装置に関する。
【背景技術】
【０００２】
複写機やスキャナ等、紙面等に表された原稿の画像データを読み取って各種の処理に提供する画像読取装置は、原稿に照明ランプから光を照射し、その反射光をＣＣＤ等の光電変換デバイスを備えた受光部に入射させるようにしてある。
【０００３】
図１５及び図１６は従来の画像読取装置の断面図である。このような原稿静止型の画像読取装置では、コンタクトガラス上に載置された原稿に対して前記照明ランプ１１を移動させながらその光を照射する。照明ランプ１１は第１キャリッジ１０に搭載されて、該第１キャリッジ１０が駆動され主走査方向に移動するようにしてある。
【０００４】
照明ランプ１１は最大サイズの原稿に対してもその全域に光を照射しなければならないから、前記第１キャリッジ１０は前記ガラスの一端部を臨む位置から他端部を臨む位置にわたって移動する。
【０００５】
原稿から光電変換素子に反射光を導くためには３つのミラー１３，２１，２２が用いられており、原稿から受光部へ至る光路長を、原稿に対する照射位置が変化した場合であっても一定に保つため、第２ミラー２１、第３ミラー２２を搭載した第２キャリッジ２０は前記照明ランプ１１フルレートキャリッジの１／２の速度で、第１キャリッジ１０と同期して同方向へ移動する。このようにして原稿からの反射光を前記フルレートキャリッジに搭載された第１ミラーで反射させ、第２ミラーと第３ミラーで順次反射させて受光部へ導いている。
【０００６】
ところで照明ランプ１１とランプ駆動用の電源回路の出力部１２０とは、第１キャリッジ１０の移動の円滑性を損なわないように、可撓性を備えた電力供給部材であるフレキシブル回路基板１１０によって接続されている。このフレキシブル回路基板１１０は、第１キャリッジ１０の走査時の移動先から装置本体１０１筺体の底面を這わせ、前記第２キャリッジ２０を経由させて照明ランプ１１に達している。このため、フレキシブル回路基板１１０は、第２キャリッジ２０部分で適宜に湾曲されて反対方向へ向けられ、空中を渡して第１キャリッジ１０にまでに至っている。
【０００７】
このような柔軟性のあるフレキシブル回路基板１１０では、自重によるたわみが発生することとなり、特に第１キャリッジ１０と第２キャリッジ２０とが最も離れているときにたわみ量は最大となる。フレキシブル回路基板１１０が画像領域内にある場合は、たわみ量が多くなることにより光路ｂを遮ってしまい画像不良が発生してしまう。
【０００８】
図１５に示す例では、第１キャリッジ１０と第２キャリッジ２０が近接しており、フレキシブル回路基板であるのたわみ量は非常に小さい。しかし、Ａ３サイズなど大きい原稿を読み取るときには、図１６に示すように、第１キャリッジと第２キャリッジの間隔が広くなり、フレキシブル回路基板が自重によってたわんだ状態となっており、第１ミラー１３と第２ミラー２１間の光路ｂを遮ってしまうこととなる。
【０００９】
このような事態に対処するため、特許文献１には原稿ランプへの給電ケーブルが、原稿走査の際の移動によりたるまないようにするため、給電ケーブルに張力を付勢する弾性部材を設けたものが記載されている。
【特許文献１】特開２０００−７８３６７号公報
【発明の開示】
【発明が解決しようとする課題】
【００１０】
しかしながら、特許文献１に記載の発明は、第１キャリッジと第２キャリッジとが離れるに従ってフレキシブル回路基板に与える弾性力が増すようになっており、フレキシブル基板の端部に特に抵抗力が加えられる。このように局所的に抵抗力を加えることは、フレキシブル回路基板の耐久性を劣化させる要因となり、回路の断線を招き、信頼性を著しく低下させることとなる。
【００１１】
本発明は、光源への電力供給部材が原稿走査の光路を遮ることがないよう、電力供給部材に常時張力を付与するに際して、電力供給部材の耐久性を劣化させることがない画像読取装置及び画像形成装置を提供することを目的とする。
【課題を解決するための手段】
【００１２】
請求項１の発明は、光源及び第１ミラーを備え所定の速度で移動可能である第１キャリッジと、第２ミラー及び第３ミラーを備え前記所定の速度の半分の速度で移動可能である第２キャリッジと、前記第１キャリッジ及び第２キャリッジを移動可能に保持する装置本体と、前記装置本体に固定された前記光源用の電源部と、可撓性を有し前記電源部と前記光源に接続され電源部から光源に電力を供給する電力供給部材とを備え、前記光源からの光を原稿に反射させその反射光を前記第１ミラー、第２ミラー及び第３ミラーで反射させて読み取る画像読取装置において、前記第２キャリッジに前記反射光の光路外で前記電力供給部材に接して張力を付与する張力付与部材を設けた画像読取装置である。
【００１３】
請求項２の発明は、請求項１の画像読取装置において、前記第２キャリッジに、前記電力供給部材を湾曲して支持する支持部材を備えたことを特徴とする。
【００１４】
請求項３の発明は、請求項２の画像読取装置において、前記支持部材は、前記電力供給部材を湾曲させて支持するものであるとともに、前記張力付与部材は前記支持部材に設けられていることを特徴とする。
【００１５】
請求項４の発明は、請求項１ないし３のいずれかの画像読取装置において、前記張力付与部材は、弾性を備えた薄板材で形成されたものであり、薄板材の変形による弾性力で前記電力供給部材に張力を与えることを特徴とする。
【００１６】
請求項５の発明は、請求項４の画像読取装置において、前記薄板材は、ＰＥＴ材を含む合成樹脂、又はステンレス鋼、リン青銅を含む板バネ用金属で形成されていることを特徴とする。
【００１７】
請求項６の発明は、請求項４又は５の画像読取装置において、前記薄板材の端縁をなすエッジ部は、端部が電力供給部材から離間する形状とされ、前記導電部材と接触しないよう構成したことを特徴とする。
【００１８】
請求項７の発明は、請求項１ないし３のいずれかの画像読取装置において、前記張力付与部材は樹脂材で製造され、前記第２キャリッジに取付けるための固定部と、前記張力付与部材をなす弾性力を備えた薄板形状部とを備え、固定部と薄板形状部とが一体的に形成されたことを特徴とする。
【００１９】
請求項８の発明は、請求項１ないし３のいずれかの画像読取装置において、前記支持部材は、滑車を備えており、滑車は電力供給部材のパターン領域外に設けられていることを特徴とする。
【００２０】
請求項９の発明は、請求項８記載の画像読取装置において、前記滑車の周囲に低摩擦係数である摺動部材を配置したことを特徴とする。
【００２１】
請求項１０の発明は、請求項９記載の画像読取装置において、前記摺動部材は、スポンジ、フェルトを含む弾性体、又は、前記弾性体に潤滑油を付着したものであることを特徴とする。
【００２２】
請求項１１の発明は、請求項１ないし７のいずれか記載の画像読取装置において、前記電力供給部材の付勢方向は、キャリッジ進行方向、及び鉛直上向きを正方向とした座標系において、キャリッジ進行方向に対して負であり、鉛直方向に対しては正であることを特徴とする。
【００２３】
請求項１２の発明は、請求項３の画像読取装置において、前記張力付与部材は、可撓性導電部材の湾曲部を案内する支持部材の端縁角部を被い、可撓性導電部材は常時張力付与部材と接していることを特徴とする。
【００２４】
請求項１３の発明は、請求項１ないし１２のいずれかの画像読取装置において、前記電力供給部材は、フレキシブル回路基板であることを特徴とする。
【００２５】
請求項１４の発明は、請求項３又は１３の画像読取装置において、前記電力供給部材の支持部における湾曲半径をＲとし、前記薄板の張力付与部材の板厚をｔとしたとき、Ｒ／ｔ≧１５０であることを特徴とする。
【００２６】
請求項１５の発明は、請求項１ないし１４の画像読取装置において、前記支持部材は、前記第２キャリッジにおいて前記第２ミラー及び第３ミラー設置側の反対側に設けられていることを特徴とする。
【００２７】
請求項１６の発明は、請求項１ないし１５の画像読取装置において、前記装置本体には、キャリッジ駆動用モータと原稿検知センサとが配置され、前記電力供給部材は前記キャリッジ駆動用モータと前記原稿検知センサとの間に配置されていることを特徴とする。
【００２８】
請求項１７の発明は、請求項１ないし１６の画像読取装置を備えたことを特徴とする画像形成装置である。
【発明の効果】
【００２９】
本発明に係る画像読取装置及び画像形成装置によれば、光源への電力供給部材が原稿走査の光路を遮らないよう電力供給部材に常時張力を付与するに際して、電力供給部材の耐久性を劣化させないという効果がある。
【発明を実施するための最良の形態】
【００３０】
以下本発明を実施するための最良の形態としての実施例を図面に基づいて説明する。
【実施例１】
【００３１】
以下本発明に係る画像読取装置の実施例について説明する。図１は実施例１に係る画像読取装置の構造を示す断面図、図２は実施例１に係る画像読取装置の構造を示す平面図である。本例に係る画像読取装置１００は、画像形成装置、例えば複写装置、ファクシミリ装置、プリンタなどの機能を併せ持つ複合画像形成装置に備えられる。
【００３２】
本例に係る画像読取装置１００は、装置本体１０１の上面にコンタクトガラス１０２を備え、装置本体１０１内に第１キャリッジ１０及び第２キャリッジ２０を備え、これらをキャリッジ駆動用モータ１０９で駆動する。第１キャリッジ１０には照明ランプ１１、リフレクタ１２及び第１ミラー１３を備え、第２キャリッジ２０には、第２ミラー２１、第３ミラー２２を備える。
【００３３】
第１キャリッジ１０は、図中ａの走査範囲を移動し、第２キャリッジ２０は光路長を一定に保つために、前記第１キャリッジ１０の１／２の速度で、該第１キャリッジ１０と同期して同方向へ移動する。
【００３４】
また、前記装置本体１０１には、前記コンタクトガラス１０２に隣接して温度検出用のサーミスタ１０３、原稿配置のための原稿スケール１０４、色構成用の白色基準板１０５を備える他、原稿の有無大きさを検出する原稿検知センサ１０６、原稿像を結像させるレンズ１０７及び光電変換素子であるＣＣＤラインセンサ１０８を備えている。
【００３５】
また、前記照明ランプ１１とランプ駆動用の電源回路の出力部１２０とは、第１キャリッジ１０の移動の円滑性を損なわないように、可撓性を備えた電力供給部材であるフレキシブル回路基板１１０によって接続されている。このフレキシブル回路基板１１０は、第１キャリッジ１０の走査時の移動先から装置本体１０１筺体の底面を這わせ、前記第２キャリッジ２０を経由させて照明ランプ１１に達している。このため、フレキシブル回路基板１１０は、第２キャリッジ２０に取付けられた支持部材であるガイド部材３０で円弧に沿って反対方向に向け湾曲されて、第１キャリッジ１０にまで渡されている。
【００３６】
ガイド部材３０及びフレキシブル回路基板１１０は、図２に示すように前記キャリッジ駆動用モータ１０９と前記原稿検知センサ１０６との間に配置するようにしている。
【００３７】
このように、照明ランプ１１から光を放射して原稿面の読取位置を照明し、原稿面からの光は第１ミラー１３、第２ミラー２１、第３ミラー２２で反射され、レンズ１０７を通して読取手段であるＣＣＤラインセンサ１０８で電気信号に変換される。その後、所定のモード設定に従いフルカラーモード又は白黒モードで画像形成動作を行う。
【００３８】
画像読取装置１００の構成についてさらに詳細に説明する。図３は実施例１に係る画像読取装置の構造を示す斜視図、図４は実施例１に係る画像読取装置の支持部材を示す拡大正面図、図５は実施例１に係る画像読取装置の支持部材と張力付与部材を示す断面図、図６は実施例１に係る画像読取装置の支持部及び張力付与部材を示す斜視図である。
【００３９】
第１キャリッジ１０には、２本の照明ランプ１１及びリフレクタ１２が搭載されている。また、第１キャリッジ１０にはフレキシブル回路基板１１０の一端がコネクタで接続され、それぞれの照明ランプ１１には第１キャリッジ１０に取付けられたフレキシブル回路基板１１０から電力が供給されている。
【００４０】
第２キャリッジ２０には、フレキシブル回路基板１１０のガイド部材３０が取付けられており、ガイド部材３０は所定の屈曲半径でフレキシブル回路基板１１０を湾曲させる。フレキシブル回路基板１１０の他端は、従来例で示したものと同様に装置本体１０１に取付けられている出力部１２０に固定される。
【００４１】
図４は実施例１に係る画像読取装置の第２キャリッジに取付けられたガイド部材を示す拡大正面図、図５は実施例１に係る画像読取装置の支持部材と張力付与部材を示す断面図、図６は実施例１に係る画像読取装置の支持部及び張力付与部材を示す斜視図である。
【００４２】
前記第２キャリッジ２０には、ガイド部材３０が取付けられ、ガイド部材３０には張力付与部材４０が取付けられている。本例では、第２キャリッジ２０の進行方向、及び鉛直上向きをプラス方向とした座標系において、第２象限内の矢印Ａ方向にフレキシブル回路基板１１０を押し出して張力を負荷するよう張力付与部材４０を取付けている。
【００４３】
ガイド部材３０は、半円弧板状である２枚一対のガイド部３１に挟まれて円弧面の湾曲部３２が形成されている。この湾曲部３２はガイド部材３０の中央付近から段部３３、３４を形成して、空間部３５を形成している。張力付与部材４０はＰＥＴ薄板からなり、図６に示すように、その両端を折り曲げ、下部折曲部４３，上部折曲部４４を形成している。これらの下部折曲部４３及び上部折曲部４４は、フレキシブル回路基板１１０を円滑に案内する他、張力付与部材４０のエッジでフレキシブル回路基板１１０を傷つけないために設けられる。また、張力付与部材４０の下部折曲部４３、下部折曲部４３の間には、接着部４１及び弾性部４２が設けられる。
【００４４】
前記張力付与部材４０は、ガイド部材３０に両面テープを用いて接着される。即ち、張力付与部材４０の接着部４１をガイド部材３０の湾曲部３２に接着する。この接着部４１は湾曲部３２への固定個所となるため、可能な限り両面テープでの接着領域は広くとることが望ましい。
【００４５】
なお、張力付与部材４０の付勢方向は、第２キャリッジ２０の進行方向に負、鉛直方向に正の第２象限（図１１（ｂ）参照、以下同じ）に向くものとする。このためキャリッジ走行中にも常に一定の湾曲で安定した姿勢を保つことが可能となる。
【００４６】
さらに、前記張力付与部材４０はフレキシブル回路基板１１０の湾曲方向と逆向きのそり癖が付くようＰＥＴシートロールから切り出すようにしている。そり癖をつけることにより確実にフレキシブル回路基板１１０に付勢力を与えることができる。
【００４７】
なお、張力付与部材４０の外周のうち、フレキシブル回路基板と接する隅部４７，４８は角を落とし、滑らかなものとするようにしている。張力付与部材４０のとがった個所がフレキシブル回路基板１１０に当接すると、第１キャリッジ１０、第２キャリッジ２０の走行時、フレキシブル回路基板１１０と張力付与部材４０とがこすれてしまい、フレキシブル回路基板１１０が損傷を受け、この繰返しにより断線のおそれがあるからである。
【００４８】
本例のような構成を備えた場合、張力付与部材４０を構成するＰＥＴシートの板厚は弾性力に影響を与える。また、フレキシブル回路基板１１０のガイド部材３０による屈曲の半径の寸法は繰返し屈曲による耐久性に影響を与える。一般的にフレキシブル回路基板１１０に負荷する張力は２０ｇ以下が望ましい。それ以上の負荷をかけると、フレキシブル回路基板１１０の表面が経時で削れてしまうなどの副作用が発生する。
【００４９】
発明者は、実施例１に係る画像読取装置の張力付与部材の厚さ寸法と電力供給部材であるフレキシブル回路基板１１０に負荷する張力との関係を確認した。図７は実施例１に係る画像読取装置の張力付与部材の厚さ寸法と電力供給部材への張力の関係を示す表、図８は実施例１に係る画像読取装置の張力付与部材の厚さ寸法と電力供給部材への張力の関係を示すグラフである。この結果、フレキシブル回路基板１１０に２０ｇ以下の張力を与えるには、ＰＥＴシートの厚さを約０．２ｍｍ以下すればよいことが分かった。このため、本例では張力付与部材４０のＰＥＴシートの厚さｔをフレキシブル回路基板１１０に１６ｇの張力を与える０．１８８ｍｍとした。
【００５０】
また、前記フレキシブル回路基板１１０のガイド部材３０における湾曲半径をＲとし、前記薄板の張力付与部材の板厚をｔとしたとき、Ｒ／ｔ≧１５０  となるようにしている。  本例では、Ｒ／ｔ＝１５１．６であるＲ＝２８．５ｍｍとした。
【００５１】
図９は実施例１に係る画像読取装置のガイド部材の半径Ｒと付勢部材の厚さ寸法ｔの比Ｒ／ｔの組み合わせによる耐久性試験の結果を示す表である。Ｒ／ｔ：１３０〜１６０の間で、実使用環境における、摺動部でのフレキシブル回路基板１１０の表面削れ、及びフレキシブル回路基板１１０の屈曲耐久性を評価した。その結果、Ｒ／ｔ≧１５０であればフレキシブル回路基板１１０の耐久性、表面の耐削れ性において良好であることが分かった。
【実施例２】
【００５２】
次に本発明に係る画像読取装置の第２の実施例について説明する。図１０は、実施例２に係る画像読取装置の支持部材及び張力付与部材の構成を示す斜視図である。本例では、ガイド部材３０に取付ける張力付与部材５０の形状を変更している。本例では、張力付与部材５０の両端を折り返して折り目のないループ部５１、５２を形成し、このループ部５１、５２を接着部５３，５４において張力付与部材５０の本体面に両面テープで接着したものである。そして、このようにして形成した前記張力付与部材５０を実施例１と同様にガイド部材３０に取付けるものとしている。本例によれば、張力付与部材５０の端部によるフレキシブル回路基板１１０の損傷を確実に防止することができる。
【実施例３】
【００５３】
次に、本発明に係る画像読取装置の第３の実施例について説明する。図１１は実施例３に係る画像読取装置の支持部材の構成を示す側面図である。本例は、前記第２キャリッジ２０に取付けるガイド部材に張力付与部材を一体に形成したものである。本例では、ガイド部材６０には、第２キャリッジ２０への取付部６１と、フレキシブル回路基板１１０が接触して湾曲されるガイド面部６２と、フレキシブル回路基板１１０がガイド面部６２から外れないようにする係止部６３が設けられている他、ガイド面部６２に隣接して付勢部６４を設けるものとしている。前記付勢部６４は矢印Ａ方向（第２象限（図１１（ｂ）））にフレキシブル回路基板１１０を付勢して張力を付与する。
【００５４】
また、前記付勢部６４は、ガイド面部６２より板厚が薄く、また、その先端には湾曲部６５を設け、付勢部６４のエッジがフレキシブル回路基板１１０に接触しないようにしている。これにより、フレキシブル回路基板１１０の損傷を防止している。
【００５５】
本例によれば、光源駆動用の可撓性導電部材には常に一定の張力を負荷することができる。また、読み取り動作時も停止時も、光源駆動用の可撓性導電部材に負荷する荷重を一定にすることができ、局所的な負荷がかからず耐久性に優れたものとすることができる。
【００５６】
なお上記例において、張力付与部材としてＰＥＴシートである合成樹脂を使用した場合を説明したが、張力付与部材としては、ステンレス鋼、リン青銅などの金属薄板製のバネ材を使用することができる。
【実施例４】
【００５７】
次に、本発明に係る画像読取装置の第４の実施例について説明する。図１２は実施例４に係る画像読取装置の支持部材の構成を示す斜視図、図１３は実施例４に係る画像読取装置の支持部材の構成を示す断面図である、
【００５８】
本例では、ガイド部材９０として前記第１の実施例のガイド部材と同形状のものを使用し、このガイド部材９０に軸部材９１を配置し、この軸部材９１に滑車９２を取付けている。前記滑車９２はフレキシブル回路基板１１０の回路パターン１１１（図１４参照）に接触しないよう、この回路パターン１１１の設置位置を避けるように配置するようにする。前記滑車９２は軸部材９１に対して回動可能であり、また前記滑車９２は、図１３に示すように、その外周に摺動部材として低摩擦係数の弾性体部９３を配置している。この弾性体部９３は、スポンジ、フェルト等の弾性体で構成することができる他、スポンジ、フェルト等に潤滑油を付着させたものを使用することができる。
【００５９】
このため、滑車９２は、フレキシブル回路基板１１０に常時接触し、滑車９２は、フレキシブル回路基板１１０の動きに連れて回転する。
【００６０】
本例によれば、フレキシブル回路基板１１０の移動時において、ガイド部材９０は、フレキシブル回路基板１１０と滑車９２を介して低摩擦で当接する他、９２はフレキシブル回路基板１１０の移動に連れて回転するから、フレキシブル回路基板１１０に擦れによる損傷を与えることなく張力を付与することができる。
【００６１】
本実施例によれば、滑車９２によりフレキシブル回路基板１１０とガイド部材９０が擦れるのを回避することができる他、フレキシブル回路基板１１０とガイド部材９０及びフレキシブル回路基板１１０と滑車９２の接触面積を可及的に小さくでき、フレキシブル回路基板１１０の耐久性を向上させることができる。また、滑車９２には低摩擦係数の弾性体部９３を備えるようにしたから、フレキシブル回路基板１１０の耐久性をさらに向上させることができ、フレキシブル回路基板１１０としてポリイミドなど非常に薄く、柔らかい材質を使用しても耐久性を保つことができる。さらに、摺動部材としてスポンジ、フェルト等の弾性部材、又は弾性部材に潤滑油を付着したものを用いることにより、フレキシブル回路基板１１０の表面の擦れ等による耐久性を更に向上させることができる。
【００６２】
なお、上記例では、滑車９２はガイド部材９０に１つ取付ける例について説明したが、ガイド部材９０に滑車９２を複数取付けることができる。図１４は実施例４に係る画像読取装置において滑車を複数個取付けた場合を示すフレキシブル回路基板の平面図である。この例では２個の滑車９２を、フレキシブル回路基板１１０に配置された回路パターン１１１に接触しない位置に取付けている。このように滑車を複数取付けることにより、滑車９２とフレキシブル回路基板１１０との接触面積が増し、滑車９２との繰返しの摺動によるフレキシブル回路基板１１０の損傷をさらに防止することができる。
【００６３】
なお上記例において、張力付与部材としてＰＥＴシートである合成樹脂を使用した場合を説明したが、張力付与部材としては、ステンレス鋼、リン青銅などの金属薄板製のバネ材を使用することができる。
【図面の簡単な説明】
【００６４】
【図１】実施例１に係る画像読取装置の構造を示す断面図である。
【図２】実施例１に係る画像読取装置の構造を示す平面図である。
【図３】実施例１に係る画像読取装置の構造を示す斜視図である。
【図４】実施例１に係る画像読取装置の支持部材を示す拡大正面図である。
【図５】実施例１に係る画像読取装置の支持部材と張力付与部材を示す断面図である。
【図６】実施例１に係る画像読取装置の支持部及び張力付与部材を示す斜視図である。
【図７】実施例１に係る画像読取装置の張力付与部材の厚さ寸法と電力供給部材への張力の関係を示す表である。
【図８】実施例１に係る画像読取装置の張力付与部材の厚さ寸法と電力供給部材への張力の関係を示すグラフである。
【図９】実施例１に係る画像読取装置の電力供給部材の支持部半径Ｒと張力付与部材の厚さ寸法ｔの比Ｒ／ｔの組み合わせによる耐久性試験の結果を示す表である。
【図１０】実施例２に係る画像読取装置の支持部材及び張力付与部材の構成を示す斜視図である。
【図１１】実施例３に係る画像読取装置の支持部材の構成を示す図であり、（ａ）は側面図、（ｂ）は座標系を説明する図である。
【図１２】実施例４に係る画像読取装置の支持部材の構成を示す斜視図である。
【図１３】実施例４に係る画像読取装置の支持部材の構成を示す断面図である。
【図１４】実施例４に係る画像読取装置のフレキシブル回路基板を示す平面図である。
【図１５】従来の画像読取装置における電力供給部材の配置を示す画像読取装置の断面図である。
【図１６】従来の画像読取装置における電力供給部材の配置を示す画像読取装置の断面図である。
【符号の説明】
【００６５】
１０・・・第１キャリッジ
１１・・・照明ランプ
１２・・・リフレクタ
１３・・・第１ミラー
２０・・・第２キャリッジ
２１・・・第２ミラー
２２・・・第３ミラー
３０・・・ガイド部材
３１・・・ガイド部
３２・・・湾曲部
３３、３４・・・段部
３５・・・空間部
４０・・・張力付与部材
４１・・・接着部
４２・・・弾性部
４３・・・下部折曲部
４４・・・上部折曲部
４７，４８・・・隅部
５０・・・張力付与部材
５１、５２・・・ループ部
５３，５４・・・接着部
６０・・・ガイド部材
６１・・・取付部
６２・・・ガイド面部
６３・・・係止部
６４・・・付勢部
６５・・・湾曲部
９０・・・ガイド部材
９１・・・軸部材
９２・・・滑車
９３・・・弾性体部
１００・・・画像読取装置
１０１・・・装置本体
１０２・・・コンタクトガラス
１０３・・・サーミスタ
１０４・・・原稿スケール
１０５・・・白色基準板
１０６・・・原稿検知センサ
１０７・・・レンズ
１０８・・・ＣＣＤラインセンサ
１０９・・・キャリッジ駆動用モータ
１１０・・・フレキシブル回路基板
１２０・・・出力部
【図１】
2007179014.tif 000003
【図２】
2007179014.tif 000004
【図３】
2007179014.tif 000005
【図４】
2007179014.tif 000006
【図５】
2007179014.tif 000007
【図６】
2007179014.tif 000008
【図７】
2007179014.tif 000009
【図８】
2007179014.tif 000010
【図９】
2007179014.tif 000011
【図１０】
2007179014.tif 000012
【図１１】
2007179014.tif 000013
【図１２】
2007179014.tif 000014
【図１３】
2007179014.tif 000015
【図１４】
2007179014.tif 000016
【図１５】
2007179014.tif 000017
【図１６】
2007179014.tif 000018